(57)【特許請求の範囲】
【請求項１】
ダムのコンクリート堤体を構築するためのコンクリート堤体の構築装置において、前回打設したダムの堤体をまたぐように設置されそして構築しようとするダムの堤体に対応する内周面を有する型枠を備え、その型枠の上部には前回打設したダム本体上を打設速度に合せて移動する運搬車から供給されるコンクリートを投入するホッパが設けられ、そしてその型枠はダム本体の表面を走行するための平坦部走行輪と打設したダムの堤体の側面を走行するための側面部走行輪とを有しており、もって水平方向に前回打設したダムの堤体上を移動可能とされていることを特徴とするコンクリート堤体の構築装置。
【発明の詳細な説明】
【０００１】
【発明の属する技術分野】
本発明は、ダムのコンクリート堤体を構築するための移動装置付型枠よりなる構築装置に関する。
【０００２】
従来のコンクリートダムを構築する場合には、上下流面に型枠を谷幅の全長にわたって取付け、コンクリートの打ち込みの進捗に伴って順次上方にスライド移動させていた。しかしながらかかる従来技術によれば、必然的にダムの法面における高所作業を必要とし、安全上の対策を必要する。さらに近年実施されている面状工法には、コンクリートを薄く広く打設するので、従来の技術では、一度に多量の型枠をスライド移動させねばならない。そのために移動型枠の移動作業が工程上のネックとなっていた。
【０００３】
【発明が解決しようとする課題】
したがって、本発明の目的は、スライド作業を必要とせず、安全で高能率にダム堤体を構築できる構築工法および構築装置を提供するにある。
【０００４】
【課題を解決するための手段】
本発明によれば、ダムのコンクリート堤体を構築するためのコンクリート堤体の構築装置において、前回打設したダムの堤体Ａ２をまたぐように設置されそして構築しようとするダムの堤体Ａ３に対応する内周面を有する型枠１を備え、その型枠１の上部には前回打設したダム本体Ｂ２上を打設速度に合せて移動する運搬車Ｔから供給されるコンクリートを投入するホッパ２が設けられ、そしてその型枠１はダム本体Ｂ２の表面Ｓを走行するための平坦部走行輪３と打設したダムの堤体Ａ１又はＡ２の側面を走行するための側面部走行輪４とを有しており、もって水平方向に前回打設したダムの堤体Ａ２上を移動可能とされている。
【０００６】
したがって構築装置をほぼ水平方向に前回打設したダム堤体上を移動させればよく、作業が簡単で能率的である。
【０００７】
【発明の実施の形態】
図１は本発明の一実施例を示す正面図である。図中符号Ａ１は前前回に打設したダムの堤体を示し、符号Ａ２は前回打設したダムの堤体を示している。
したがって符号Ｂ１は前前回打設したダム本体を示し、符号Ｂ２は前回打設したダムの本体を示している。
本発明は、符号Ａ３で示す部分のダム堤体を構築するものである。
【０００８】
前回打設したダム本体Ｂ２の表面には、コンクリートを搬送するコンベヤＣを有する例えばクレーン付不整地運搬車Ｔおよび例えばダンプカーＤが作業をしている所が示されている。これらの不整地運搬車ＴおよびダンプカーＤはいずれも公知のものを実施できる。
【０００９】
本発明に従って全体を符号Ｆで示す構築装置が前回打設したダムの堤体Ａ２をまたぐように設けられている。この構築装置Ｆについては図２を参照して詳述するが、構築しようとするダムの堤体Ａ３に対応する内周面を有する型枠１を備え、その型枠１の上部にはコンクリートを供給するためのホッパ２が設けられている。そしてダム本体の表面Ｓを走行するための平坦部走行輪３とダムの堤体Ａ１又はＡ２の側面を走行するための側面部走行輪４とを有し、枠組５で一体的に構成されている。
【００１０】
この構築装置Ｆは図示しないバイブレータを内蔵しており、そして作動用の中継盤６を備えている。この中継盤６には運搬車Ｔに積載した発電機Ｇや油圧ユニットＵからのラインＬ１、Ｌ２が接続されている。
【００１１】
したがって、ダンプカーＤからの生コンクリートはホッパＨに供給され、そしてコンベアＣを介して構築装置Ｆのホッパ２に投入される。そして型枠１によって堤体Ａ３が構築される。このようにして図１の紙面と直角方向に順次構築装置Ｆと共に運搬車ＴおよびダンプカーＤを移動させればよい。
【００１２】
図２は本発明を実施した構築装置Ｆを上方から見た斜視図である。
図から解るように、枠組５内の両側にはステップ１０ａ、１０ｂが設けられ、また階段１１によりステップ１０ａ、１０ｂに作業員が昇降しやすくしてある。したがって枠組５は安全装置を兼ねている。そして表面Ｓ側のステップ１０ｂの下側には複数（図示の例では２つ）の平坦部走行輪３が型枠１に設けたブラケット１２で回動可能に支持されており、また反対側は複数（図示の例では２つ）の側面部走行輪４がやはり型枠１に取付けた別のブラケット１３で回転可能に支持されている。
【００１３】
したがって、コンクリートの打設に伴って矢印Ｘ方向に構築装置Ｆを移動させれば前回構築した堤体Ａ２の上部に新たな堤体Ａ３を構築できる。
【００１４】
図３ないし図７は構築装置Ｆの種々の移動手段を示している。図３は図１、図２に示す実施例によるもので走行輪３および又は走行輪４を図示しない油圧モータで駆動するものである。
【００１５】
図４は走行輪３がレール１５上を走行するようにしたものである。この例では油圧モータで駆動するようになっている。この実施例は表面Ｓの凹凸がはげしい場合に好適である。
【００１６】
図５は走行輪に代えてピニオン１７が設けられ、ラック１６と係合して油圧駆動モータにより走行するものである。この例では勾配のある所に実施できる。
【００１７】
図６は電動ウインチ１８を用い、ワイヤ１９で構築装置Ｆを牽引するものである。この場合は構築装置Ｆに油圧駆動モータを設けなくてもよく、電動ウインチ１８の電源は運搬車Ｔの発電機９を用いている。
【００１８】
図７は運搬車Ｔのブラケット２０をアンカー材として用い、油圧ジャッキ２１で構築装置Ｆを移動させるものである。
以上の通り、構築装置Ｆの移動手段としては任意適宜の公知の技術をその状況に応じて適用できる。
【００１９】
本発明の実施に際し、図１、図２、図３で示す実施例の作動を説明する。まず、クレーン付不整地運搬車Ｔに発電機Ｇ、油圧ユニットＵおよびベルトコンベヤＣをセットする。そしてクレーン付不整地運搬車Ｔによって構築装置Ｆのうちで型枠１の形状が最適なものを選択して前回構築した堤体Ａ２の発進端部にセットする。
【００２０】
次いで、発電機Ｇから構築装置ＦのバイブレータやベルトコンベアＣに電気配線Ｌ１を配線して、そして発電機Ｇで駆動される油圧ユニットＵから油圧ホースＬ２を配管して構築装置Ｆの駆動用油圧モータを駆動できるようにする。
【００２１】
図示しないコンクリートプラントで混練されたコンクリートをダンプカーＤで現場まで運搬し、そしてダンプカーＤからベルトコンベアＣのホッパＨにコンクリートを供給し、そのコンクリートはベルトコンベアＣによって構築装置Ｆのホッパ２に投入される。
【００２２】
このようにしてコンクリートが供給されたならば、構築装置Ｆはバイブレータを作動させながら、図２の矢印Ｘ方向に前進してコンクリートを打設する。その際にクレーン付不整地運搬車ＴとダンプカーＤとは構築装置Ｆの打設速度に合せて前進させればよい。
【００２３】
【発明の効果】
以上の通り、本発明によれば、下記のすぐれた効果を奏する。
（ａ）  構築装置をほぼ水平方向に移動させればよいので、堤体の長さが長くても安全にかつ能率的な作業ができる。
（ｂ）  水平移動のため、作業が楽であり、従来型枠のスライドと異なり、ストッパや係止手段が簡単でよい。
（ｃ）  構築装置自体が常に１〜２リフト分先行して上方に位置しているため、転落防護柵として機能し、安全上好ましい。
【図面の簡単な説明】
【図１】本発明の一実施例を示す説明図。
【図２】本発明を実施した構築装置を上方から見た傾斜図。
【図３】構築装置の移動手段を説明するための平面図。
【図４】構築装置の他の移動手段を説明するための平面図。
【図５】構築装置の別の移動手段を説明するための平面図。
【図６】構築装置のさらに他の移動手段を説明するための平面図。
【図７】構築装置のさらに別の移動手段を説明するための平面図。
【符号の説明】
Ａ１・・・前前回に打設したダムの堤体
Ａ２・・・前回打設したダムの堤体
Ａ３・・・今回打設しようとするダムの堤体
Ｂ１・・・前前回打設したダム本体
Ｂ２・・・前回打設したダム本体
Ｃ・・・ベルトコンベア
Ｄ・・・ダンプカー
Ｆ・・・構築装置
Ｇ・・・発電機
Ｈ・・・ホッパ
Ｌ１、Ｌ２・・・ライン
Ｔ・・・クレーン付不整地運搬車
Ｕ・・・油圧ユニット
１・・・型枠
２・・・ホッパ
３・・・平坦部走行輪
４・・・側面部走行輪
５・・・枠体
６・・・中継盤
１０ａ、１０ｂ・・・ステップ
１１・・・階段
１２、１３・・・ブラケット
１５・・・レール
１６・・・ラック
１７・・・ピニオン
１８・・・ウインチ
１９・・・ワイヤ
２０・・・ブラケット
２１・・・油圧シリンダ
【図１】
0004111480.tif 000002
【図２】
0004111480.tif 000003
【図３】
0004111480.tif 000004
【図４】
0004111480.tif 000005
【図５】
0004111480.tif 000006
【図６】
0004111480.tif 000007
【図７】
0004111480.tif 000008